(57)【要約】【課題】信頼性を向上させる。【解決手段】現金自動取引装置１は、金庫孔部１５ＴＡを介して上部ユニット１３の振分搬送部２６と金庫筐体１５内の収納庫搬送部２０Ａとを接続する受渡搬送部３４とを設け、受渡搬送部３４は、振分搬送部２６と収納庫搬送部２０Ａとの間で紙幣を案内する受渡搬送路３４Ａを形成する受渡ガイド４６と、金庫孔部１５ＴＡ内に配置され、金庫筐体１５に受渡ガイド４６を保持する受渡ガイドブラケット４８と、受渡ガイド４６に設けられ、内側隙間５６を介して隣接して対向する受渡ガイドブラケット４８の対向面を受渡ガイド爪部先端面７４Ａが越える受渡ガイド爪部７４と、受渡ガイドブラケット４８に設けられ、外側隙間５８を介して隣接して対向する金庫筐体１５の対向面を受渡ガイドブラケット爪部先端面５３Ａが越える長さで形成された受渡ガイドブラケット爪部５３とを有する。【選択図】図４
2018005684.tif 000002
【特許請求の範囲】
【請求項１】
ユーザとの間で媒体の受け渡しを行う接客部と、
前記媒体を搬送する第１搬送部を有する第１ユニットと、
前記媒体を搬送する第２搬送部を有し、筐体内に配置される第２ユニットと、
前記筐体に形成された開口部を介して前記第１搬送部と第２搬送部とを接続する受渡搬送部と
を具え、
前記受渡搬送部は、
前記第１搬送部と第２搬送部との間で紙幣を案内する搬送路を形成する受渡ガイドと、
前記開口部内に配置され、前記筐体に前記受渡ガイドを保持する受渡ガイドブラケットと、
少なくとも前記筐体、前記受渡ガイド又は前記受渡ガイドブラケットの何れかに設けられ、隙間を介して隣接して対向する前記受渡ガイドブラケット、前記筐体又は該受渡ガイドの対向面を先端が越える長さで形成された爪部と
を有する媒体処理装置。
【請求項２】
前記受渡ガイドは、前記媒体の搬送方向に直交する搬送幅方向に沿って離散的に爪体が配される
請求項１に記載の媒体処理装置。
【請求項３】
前記爪部は、前記爪体と前記搬送幅方向における位置と同じ位相に設けられる
請求項２に記載の媒体処理装置。
【請求項４】
前記爪部は、前記搬送路から離隔する方向へ前記受渡ガイドブラケットに向かって前記受渡ガイドから突設する受渡ガイド爪部を有する
請求項１に記載の媒体処理装置。
【請求項５】
前記受渡ガイド爪部は、隙間を介して前記受渡ガイドに隣接して対向する前記受渡ガイドブラケットの対向面を先端が越える長さで突設される
請求項４に記載の媒体処理装置。
【請求項６】
前記受渡ガイド爪部は、隙間を介して隣接して前記受渡ガイドブラケットに対向する前記筐体の対向面を先端が越える長さで突設する
請求項５に記載の媒体処理装置。
【請求項７】
前記爪部は、隙間を介して前記受渡ガイドブラケットに隣接して対向する前記筐体の対向面を先端が越える長さで、前記搬送路から離隔する方向へ前記筐体に向かって前記受渡ガイドブラケットから突設する受渡ガイドブラケット爪部を有する
請求項１又は請求項４乃至請求項６の何れかに記載の媒体処理装置。
【請求項８】
前記爪部は、隣接して対向する前記受渡ガイドブラケット、前記筐体又は該受渡ガイドを覆う長さで突設する
請求項１に記載の媒体処理装置。
【請求項９】
前記爪部は、隣接して対向する前記受渡ガイドブラケット、前記筐体又は該受渡ガイドと噛み合う長さで突設する
請求項１に記載の媒体処理装置。
【請求項１０】
前記爪部は、前記対向面との隙間の少なくとも一部分を埋める
請求項１に記載の媒体処理装置。
【請求項１１】
前記爪部における前記媒体の搬送方向に直交する搬送幅方向の間隔は、前記媒体処理装置において取り扱われる媒体のうち前記搬送幅方向の長さが最も短い最小幅媒体の前記搬送幅方向の長さである最小媒体幅よりも短い
請求項１に記載の媒体処理装置。
【請求項１２】
前記爪部の前記搬送幅方向の間隔は、前記最小媒体幅の半分よりも短く、且つ、前記媒体処理装置において取り扱われる媒体のうち前記搬送方向の長さが最も短い最小長さ媒体の前記搬送方向の長さである最小媒体長さよりも短い
請求項１１に記載の媒体処理装置。
【発明の詳細な説明】
【技術分野】
【０００１】
本発明は媒体処理装置に関し、例えば顧客に紙幣等の媒体を投入させて所望の取引を行う現金自動取引装置（ＡＴＭ：Automatic Teller Machine）に適用して好適なものである。
【背景技術】
【０００２】
従来の現金自動取引装置は、紙幣を収納する複数の収納庫が装填される金庫筐体が装置筐体の下側に配置されると共に、該金庫筐体の上側に、顧客との間で紙幣の授受を行う紙幣入出金部や、投入された紙幣の金種及び真偽を鑑別する鑑別部や、投入された紙幣を一時的に保留する一時保留部等が収容された上部ユニットが配置され、該上部ユニットと金庫筐体の内部とで紙幣を受け渡すものがある（例えば、特許文献１参照）。
【０００３】
このような現金自動取引装置では、金庫筐体の天板に穿設された金庫孔部に受渡ガイドが受渡ガイドブラケットを介し取り付けられ、上部ユニットと金庫筐体との紙幣の搬送を受渡ガイドにより案内するものがある。
【先行技術文献】
【特許文献】
【０００４】
【特許文献１】特開２０１２−９３９８０号公報
【発明の概要】
【発明が解決しようとする課題】
【０００５】
このような現金自動取引装置においては、金庫筐体の天板と受渡ガイドブラケットとの隙間や、受渡ガイドブラケットと受渡ガイドとの隙間に紙幣が入り込んで落下する場合があった。この場合、金庫筐体の中に紙幣が紛れ込んでしまい、紙幣を紛失してしまうなど、信頼性を保てない可能性があった。
【０００６】
本発明は以上の点を考慮してなされたもので、信頼性を向上し得る媒体処理装置を提案しようとするものである。
【課題を解決するための手段】
【０００７】
かかる課題を解決するため本発明の媒体処理装置においては、ユーザとの間で媒体の受け渡しを行う接客部と、媒体を搬送する第１搬送部を有する第１ユニットと、媒体を搬送する第２搬送部を有し、筐体内に配置される第２ユニットと、筐体に形成された開口部を介して第１搬送部と第２搬送部とを接続する受渡搬送部とを設け、受渡搬送部は、第１搬送部と第２搬送部との間で紙幣を案内する搬送路を形成する受渡ガイドと、開口部内に配置され、筐体に受渡ガイドを保持する受渡ガイドブラケットと、少なくとも筐体、受渡ガイド又は受渡ガイドブラケットの何れかに設けられ、隙間を介して隣接して対向する受渡ガイドブラケット、筐体又は該受渡ガイドの対向面を先端が越える長さで形成された爪部とを有するようにした。
【０００８】
本発明は、爪部により隙間の少なくとも一部を埋め、該隙間への媒体の経路を塞ぐことができる。
【発明の効果】
【０００９】
本発明によれば、信頼性を向上し得る媒体処理装置を実現できる。
【図面の簡単な説明】
【００１０】
【図１】現金自動取引装置の外観構成を示す斜視図である。
【図２】現金自動取引装置の内部構成を示す左側面図である。
【図３】上部ユニット引出状態及び収納庫装填ケース引出状態の現金自動取引装置の内部構成を示す左側面図である。
【図４】第１の実施の形態による受渡搬送部の構成を示す三面図であり、（Ａ）は平面図、（Ｂ）は（Ａ）におけるＸ−Ｘ矢視断面図、（Ｃ）は（Ａ）におけるＹ−Ｙ矢視断面図である。
【図５】第２の実施の形態による受渡搬送部の構成を示す三面図であり、（Ａ）は平面図、（Ｂ）は（Ａ）におけるＸ−Ｘ矢視断面図、（Ｃ）は（Ａ）におけるＹ−Ｙ矢視断面図である。
【発明を実施するための形態】
【００１１】
以下、発明を実施するための形態（以下実施の形態とする）について、図面を用いて説明する。
【００１２】
［１．第１の実施の形態］
［１−１．現金自動取引装置の構成］
図１に外観を示すように、現金自動取引装置１は、箱状の装置筐体２を中心に構成されており、例えば金融機関等に設置され、利用者（すなわち金融期間の顧客）との間で入金取引や出金取引等の現金に関する取引を行う。以下では、現金自動取引装置１のうち利用者が対峙する側を前側とし、その反対を後側とし、該前側に対峙した利用者から見て左及び右をそれぞれ左側及び右側とし、さらに上側及び下側を定義して説明する。
【００１３】
装置筐体２は、その前側に顧客が対峙した状態で紙幣の投入やタッチパネルによる操作等をしやすい箇所に顧客応対部３が設けられている。顧客応対部３は、カード入出口４、紙幣入出金部５、操作表示部６及び通帳挿入排出口７が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。紙幣入出金部５は、顧客が入金する紙幣が投入されると共に、顧客へ出金する紙幣が排出される部分である。操作表示部６は、取引に際して操作画面を表示するＬＣＤ（Liquid Crystal Display）と、取引の種類の選択、暗証番号や取引金額等を入力するタッチパネルとが一体化されている。通帳挿入排出口７は、取引の際に通帳を挿入されると共に、該通帳や取引明細書を排出する。
【００１４】
［１−２．現金自動取引装置の内部構成］
図２に示すように現金自動取引装置１の装置筐体２内には、該現金自動取引装置１全体を統括制御する制御部１０が収納されると共に、該制御部１０の制御のもと、紙幣の入金処理及び出金処理等を行う紙幣処理機１１が収納されている。紙幣処理機１１は、金庫筐体１５及び上部ユニット１３を有し、該金庫筐体１５に上部ユニット１３が載上されている。制御部１０は、図示しないＣＰＵ（Central Processing Unit）を中心に構成されており、図示しないＲＯＭ（Read Only Memory）やフラッシュメモリ等から所定のプログラムを読み出して実行することにより、各部を制御して入金取引や出金取引等の種々の処理を行う。また制御部１０は、内部にＲＡＭ（Random Access Memory）、ハードディスクドライブやフラッシュメモリ等でなる記憶部を有しており、この記憶部に種々の情報を記憶させる。
【００１５】
金庫筐体１５は、比較的厚い複数の金属板を組み合わせるようにして略箱型に形成され、装置筐体２内に固設されている。また金庫筐体１５内には、上端部が開放された略箱型の収納庫装填ケース１６が収納されている。収納庫装填ケース１６は、最も前側の収納庫装填位置に、破損している紙幣や折れ曲がっている紙幣等のような異常な紙幣であるリジェクト紙幣を収納するリジェクト庫１９が着脱可能に装填されている。また収納庫装填ケース１６は、最も前側の収納庫装填位置を除く他の複数箇所の収納庫装填位置に、それぞれ入金用及び出金用の紙幣を金種別に収納する複数（例えば５個）の紙幣収納庫２０乃至２４が着脱可能に装填されている。
【００１６】
リジェクト庫１９は、上端部内に、搬送ガイドやローラ等の複数種類の搬送路形成部品を有する収納庫搬送部１９Ａが一体に設けられている。収納庫搬送部１９Ａは、複数種類の搬送路形成部品により、リジェクト庫１９内にリジェクト紙幣を取り込むように搬送する収納庫搬送路１９ＡＸを形成している。
【００１７】
紙幣収納庫２０乃至２４には、それぞれ上端部内に、搬送ガイドやローラ、ローラ駆動モータ等の複数種類の搬送路形成部品を有する収納庫搬送部２０Ａ乃至２４Ａが一体に設けられている。収納庫搬送部２０Ａ乃至２４Ａは、複数種類の搬送路形成部品により、紙幣収納庫２０乃至２４内に紙幣を取り込み、また紙幣収納庫２０乃至２４内から紙幣を繰り出すように搬送する収納庫搬送路２０ＡＸ乃至２４ＡＸを形成している。
【００１８】
上部ユニット１３は、上部筐体２５及び振分搬送部２６を有し、該上部筐体２５の下面に振分搬送部２６が取り付けられている。上部筐体２５内には、紙幣入出金部５が配置され、該紙幣入出金部５の後ろ斜下に鑑別部２８が配置されると共に、紙幣入出金部５及び鑑別部２８の後側に一時保留部２９が配置されている。また上部筐体２５内には、鑑別部２８の後側と紙幣入出金部５及び一時保留部２９とを接続し、鑑別部２８の前側と紙幣入出金部５とを接続する上部筐体搬送路２５Ａが設けられている。上部筐体搬送路２５Ａは、図示しないローラやベルト等により、図中太線で示す搬送路に沿って長方形の紙幣を短辺方向に搬送する。
【００１９】
振分搬送部２６は、振分搬送部筐体２７を有し、複数種類の搬送路形成部品により、リジェクト紙幣や正常な紙幣を、搬送先を適宜切り換えてリジェクト庫１９や紙幣収納庫２０乃至２４へ振り分けるように搬送する振分搬送路２６Ａを形成している。振分搬送路２６Ａは、２箇所の上端部が上部筐体搬送路２５Ａの下端部に接続されている。また振分搬送部筐体２７は、振分搬送部２６における後述する受渡搬送部３３乃至３８との搬送路接続部分である図２に示す振分搬送部固定ガイド４２を、該振分搬送部筐体２７の下端よりも下側に突出させている。この振分搬送部固定ガイド４２は、下端部が全体として櫛歯状に形成されており、左右方向に沿って複数の爪体が離散的に、すなわち左右方向に所定の間隔でなる隙間を形成しながら配置されている。
【００２０】
金庫筐体１５の金庫天板１５Ｔには、収納庫搬送部１９Ａ乃至２４Ａに対応させて、左右に長い略長方形状の角孔でなる図４に示す金庫孔部１５ＴＡが上下方向に貫通するよう穿設されている。このため金庫筐体１５における金庫孔部１５ＴＡの前端面には、上下左右方向（鉛直方向）に沿う平面である金庫孔部端面１５ＳＦが形成され、金庫筐体１５における金庫孔部１５ＴＡの後端面には、鉛直方向に沿う平面である金庫孔部端面１５ＳＢが形成されている。以下では金庫孔部端面１５ＳＦ及び１５ＳＢをまとめて金庫孔部端面１５Ｓとも呼ぶ。
【００２１】
金庫筐体１５における金庫孔部１５ＴＡの左右両側の縁部には、断面略Ｓ字形状の金属板でありそれぞれ受渡搬送部３３乃至３８の後述する受渡ガイドブラケット４８に向かって延びる金庫側ブラケット４４が固定されている。図４（Ｂ）に示すように金庫側ブラケット４４は、金庫筐体１５における金庫孔部１５ＴＡの左右方向の外側の縁部から、水平方向に沿って左右方向の内側に向かって延び、下方向に垂直に屈曲し、下端部においてさらに左右方向の内側に向かって伸びている。
【００２２】
金庫天板１５Ｔのそれぞれの金庫孔部１５ＴＡには、振分搬送部２６と収納庫搬送部１９Ａ乃至２４Ａとを連結する図１及び図２に示す受渡搬送部３３乃至３８が受渡ガイドブラケット４８（図４）を介し１個ずつ挿入されるようにして取り付けられている。受渡搬送部３３は、複数種類の搬送路形成部品により、リジェクト紙幣を振分搬送路２６Ａから収納庫搬送路１９ＡＸへ受け渡すように一方向に搬送する受渡搬送路３３Ａを形成している。受渡搬送路３３Ａは、上端部が振分搬送路２６Ａの複数箇所の下端部のうち対応する最も前の１箇所の下端部に接続される。また受渡搬送路３３Ａは、下端部が収納庫搬送路１９ＡＸの上端部に接続される。
【００２３】
また受渡搬送部３４乃至３８は、それぞれ複数種類の搬送路形成部品により、紙幣を振分搬送路２６Ａから対応する収納庫搬送路２０ＡＸ乃至２４ＡＸへ受け渡し、また対応する収納庫搬送路２０ＡＸ乃至２４ＡＸから振分搬送路２６Ａへ受け渡すように双方向に搬送する受渡搬送路３４Ａ乃至３８Ａを形成している。受渡搬送路３４Ａ乃至３８Ａは、それぞれ上端部が振分搬送路２６Ａの対応する下端部に接続される。また受渡搬送路３４Ａ乃至３８Ａは、それぞれ下端部が対応する収納庫搬送路２０ＡＸ乃至２４ＡＸの上端部に接続される。
【００２４】
かかる構成において現金自動取引装置１は、紙幣の入金処理時、顧客により紙幣入出金部５に入金用の紙幣が投入されると、該紙幣入出金部５から紙幣を１枚ずつ繰り出し、上部筐体搬送路２５Ａを介して鑑別部２８へ搬送して、該鑑別部２８においてその紙幣の金種や状態等を鑑別させる。現金自動取引装置１は、鑑別部２８から正常であると鑑別されて繰り出された紙幣については、上部筐体搬送路２５Ａを介して一時保留部２９へ搬送して一時的に保持させることにより、該紙幣の入金を保留する。一方で現金自動取引装置１は、鑑別部２８から破損や折れ等により異常であると鑑別されて繰り出された紙幣については、リジェクト紙幣として上部筐体搬送路２５Ａを介して紙幣入出金部５へ搬送することにより、顧客に該紙幣入出金部５から取り出させるようにして返却する。
【００２５】
現金自動取引装置１は、紙幣入出金部５内に投入された入金用の紙幣が鑑別部２８において全て鑑別されると、正常であると鑑別された紙幣の総額（すなわち、入金の金額）を、操作表示部６を介して顧客に提示する。その結果現金自動取引装置１は、入金の金額を確認した顧客により操作表示部６を介して紙幣の入金が指示されると、一時的に保持していた紙幣を一時保留部２９から１枚ずつ繰り出し上部筐体搬送路２５Ａを介して鑑別部２８へ搬送して、該鑑別部２８において再びその紙幣の金種や状態等を鑑別させる。現金自動取引装置１は、鑑別部２８から正常であると鑑別されて繰り出された紙幣については、上部筐体搬送路２５Ａ、振分搬送路２６Ａ及び受渡搬送路３４Ａ乃至３８Ａを順次介して該紙幣の金種に応じた紙幣収納庫２０乃至２４へ搬送し、収納庫搬送路２０ＡＸ乃至２４ＡＸを介して内部に収納させる。現金自動取引装置１は、この際、鑑別部２８から異常であると鑑別されて繰り出された紙幣については、リジェクト紙幣として上部筐体搬送路２５Ａ、振分搬送路２６Ａ及び受渡搬送路３３Ａを順次介してリジェクト庫１９へ搬送し、収納庫搬送路１９ＡＸを介して内部に収納させる。
【００２６】
一方で現金自動取引装置１は、紙幣の出金処理時、顧客により操作表示部６を介して出金の金額が指定されると、紙幣収納庫２０乃至２４の内部から収納庫搬送路２０ＡＸ乃至２４ＡＸを介して、該顧客により指定された金額分の紙幣を１枚ずつ繰り出す。現金自動取引装置１は、紙幣収納庫２０乃至２４から１枚ずつ繰り出した紙幣を、受渡搬送路３４Ａ乃至３８Ａ、振分搬送路２６Ａ及び上部筐体搬送路２５Ａを順次介して鑑別部２８へ搬送して、該鑑別部２８において紙幣の金種や状態等を鑑別させる。現金自動取引装置１は、鑑別部２８から正常であると鑑別されて繰り出された紙幣については、上部筐体搬送路２５Ａを介して紙幣入出金部５へ搬送する。一方で現金自動取引装置１は、この際、鑑別部２８から異常であると鑑別されて繰り出された紙幣については、リジェクト紙幣として上部筐体搬送路２５Ａ、振分搬送路２６Ａ及び受渡搬送路３３Ａを順次介してリジェクト庫１９へ搬送し、収納庫搬送路１９ＡＸを介して内部に収納させて、その後の出金処理には用いないようにする。現金自動取引装置１は、出金用に指定された金額分の紙幣を紙幣入出金部５に搬送し終えると、出金用に指定された金額分の紙幣を該紙幣入出金部５から顧客に取り出させるようにして引き渡す。
【００２７】
ところで装置筐体２は、前面を覆う装置筐体前扉２Ａが図示しないヒンジ部を介して開閉可能に設けられている。また金庫筐体１５は、該金庫筐体１５を形成する複数の金属板のうち前板となる金属板が金庫筐体前扉１５Ｂとして図示しないヒンジ部を介して開閉可能に設けられている。
【００２８】
上部ユニット１３は、図３に示すように上側スライドレール４０を介して装置筐体２に取り付けられている。上側スライドレール４０は、前後方向に延長されたレール状の部品や複数のローラ等（図示せず）の組み合わせにより構成されており、装置筐体２に対し上部ユニット１３を前方向又は後方向へ直線的に且つ円滑に移動させる。
【００２９】
現金自動取引装置１は、顧客との間で取引処理が行われる場合や保守作業が行われない場合、図２に示したように上部ユニット１３を装置筐体２の内部に収納することにより、該上部ユニット１３の各部や紙幣等を保護する。以下ではこれを上部ユニット収納状態とも呼ぶ。一方現金自動取引装置１は、例えば上部ユニット１３内において紙幣詰まりが発生し紙幣が除去される際等、保守作業者により保守作業が行われる場合、図３に示したように装置筐体前扉２Ａを開き上部ユニット１３を前方（引出方向）へ移動させて、該上部ユニット１３を装置筐体２の外部に引き出した状態とする。以下ではこれを上部ユニット引出状態とも呼ぶ。
【００３０】
収納庫装填ケース１６は、下側スライドレール４１を介して金庫筐体１５に取り付けられている。下側スライドレール４１は、前後方向に延長されたレール状の部品や複数のローラ等（図示せず）の組み合わせにより構成されており、金庫筐体１５に対し収納庫装填ケース１６を前方向又は後方向へ直線的に且つ円滑に移動させる。
【００３１】
現金自動取引装置１は、顧客との間で取引処理が行われる場合や保守作業が行われない場合、図２に示したように収納庫装填ケース１６を金庫筐体１５の内部に収納することにより、該収納庫装填ケース１６の各部や紙幣等を保護する。以下ではこれを収納庫装填ケース収納状態とも呼ぶ。一方現金自動取引装置１は、保守作業者により保守作業が行われる場合、図３に示したように装置筐体前扉２Ａ及び金庫筐体前扉１５Ｂ（図示せず）を開き収納庫装填ケース１６を前方（引出方向）へ移動させて、該収納庫装填ケース１６を装置筐体２の外部に引き出した状態とする。以下ではこれを収納庫装填ケース引出状態とも呼ぶ。なお図３は、上部ユニット引出状態であり且つ収納庫装填ケース引出状態を示している。
【００３２】
ここで受渡搬送部３３乃至３８は、図３に示すように振分搬送部２６との搬送路接続部分である受渡ガイド４６を金庫天板１５Ｔの上側に突出させている。また上述したように振分搬送部筐体２７は、振分搬送部固定ガイド４２を該振分搬送部筐体２７の下端よりも下側に突出させている。よって現金自動取引装置１は、上部ユニット収納状態では、受渡搬送部３３乃至３８の上に振分搬送部２６の対応する受渡ガイド４６を位置させる。これにより現金自動取引装置１は、受渡搬送路３３Ａ乃至３８Ａの上端部をそれぞれ振分搬送路２６Ａの対応する下端部に接続する。
【００３３】
そして上部ユニット１３は、装置筐体２内から引き出された場合、受渡搬送部３３乃至３８の上から振分搬送部２６が前側に移動することで、受渡搬送路３３Ａ乃至３８Ａの上端部から振分搬送路２６Ａの対応する下端部を全て切り離す。また現金自動取引装置１は、上部ユニット１３が後方（収納方向）へ移動されて装置筐体２内に上部ユニット１３が収納されると、再び受渡搬送部３３乃至３８の上に振分搬送部２６の対応する受渡ガイド４６を位置させる。これにより現金自動取引装置１は、受渡搬送路３３Ａ乃至３８Ａの上端部をそれぞれ振分搬送路２６Ａの対応する下端部に再び接続する。以下では引出方向及び収納方向をまとめてスライド方向とも呼ぶ。
【００３４】
一方現金自動取引装置１は、受渡搬送部３３乃至３８において受渡ガイド４６を金庫天板１５Ｔの下側（すなわち金庫筐体１５内）に突出させている。また収納庫装填ケース１６は、収納庫搬送部１９Ａ乃至２４Ａにおける受渡搬送部３３乃至３８との搬送路接続部分である収納庫固定ガイド４３を、該収納庫装填ケース１６の上端よりも上側に突出させている。この収納庫固定ガイド４３は、上端部が全体として櫛歯状に形成されており、スライド方向である前後方向に直交する左右方向に沿って複数の爪体が離散的に、すなわち左右方向に所定の間隔でなる隙間を形成しながら配置されている。よって現金自動取引装置１は、収納庫装填ケース収納状態では、受渡搬送部３３乃至３８の下に対応する収納庫搬送部１９Ａ乃至２４Ａの収納庫固定ガイド４３を位置させる。これにより現金自動取引装置１は、受渡搬送路３３Ａ乃至３８Ａの下端部を対応する収納庫搬送路１９ＡＸ乃至２４ＡＸの上端部に接続する。
【００３５】
そして収納庫装填ケース１６は、金庫筐体１５内から引き出された場合、受渡搬送部３３乃至３８の下からリジェクト庫１９及び紙幣収納庫２０乃至２４が前側に移動することで、受渡搬送路３３Ａ乃至３８Ａの下端部から対応する収納庫搬送路１９ＡＸ乃至２４ＡＸの上端部を全て切り離す。また現金自動取引装置１は、収納庫装填ケース１６が後方（収納方向）へ移動されて金庫筐体１５内に収納庫装填ケース１６が収納されると、再び受渡搬送部３３乃至３８の下に対応する収納庫搬送部１９Ａ乃至２４Ａの収納庫固定ガイド４３を位置させる。これにより現金自動取引装置１は、受渡搬送路３３Ａ乃至３８Ａの下端部を対応する収納庫搬送路１９ＡＸ乃至２４ＡＸの上端部に再び接続する。
【００３６】
［１−３．受渡搬送部の構成］
受渡搬送部３３乃至３８は基本的には同様に構成されているため、以下では受渡搬送部３４の構成について説明する。図４に示すように受渡搬送部３４は主に、紙幣の搬送を案内する受渡ガイド４６と、該受渡ガイド４６を保持し金庫筐体１５に取り付ける受渡ガイドブラケット４８とにより構成されており、金庫側ブラケット４４を介して金庫筐体１５に取り付けられることにより、金庫孔部１５ＴＡを塞いでいる。図４（Ａ）に示すように受渡ガイド４６は、それぞれ前側にガイド部６２Ｆが、後側にガイド部６２Ｂが、互いにほぼ前後対称に形成されている。
【００３７】
［１−４．受渡ガイドブラケットの構成］
受渡ガイドブラケット４８は、金属板により構成され、上下方向に貫通し左右方向に長い長方形状の角孔でなるブラケット孔部４８Ｈが中央部に形成されており、該ブラケット孔部４８Ｈのそれぞれ前側に前側板部４８Ｆが、後側に後側板部４８Ｂが、左側に左側板部４８Ｌが、右側に右側板部４８Ｒが形成されている。
【００３８】
左側板部４８Ｌ及び右側板部４８Ｒは、それぞれ金庫側ブラケット４４にねじ止めされることにより、受渡ガイドブラケット４８を金庫天板１５Ｔに固定している。また左側板部４８Ｌ及び右側板部４８Ｒは、受渡ガイド４６の左右の回動軸６０が回転可能に取り付けられることにより、該受渡ガイド４６を回動可能に支持している。
【００３９】
前側板部４８Ｆ及び後側板部４８Ｂは、互いにほぼ前後対称に形成されており、図４（Ｃ）に示すようにそれぞれ内側鉛直部５０Ｆ及び５０Ｂと、水平部５１Ｆ及び５１Ｂと、外側鉛直部５２Ｆ及び５２Ｂと、受渡ガイドブラケット爪部５３Ｆ及び５３Ｂとが形成されている。以下では内側鉛直部５０Ｆ及び５０Ｂをまとめて内側鉛直部５０とも呼び、水平部５１Ｆ及び５１Ｂをまとめて水平部５１とも呼び、外側鉛直部５２Ｆ及び５２Ｂをまとめて外側鉛直部５２とも呼び、受渡ガイドブラケット爪部５３Ｆ及び５３Ｂをまとめて受渡ガイドブラケット爪部５３とも呼ぶ。
【００４０】
図４（Ｃ）に示すように内側鉛直部５０は、金庫天板１５Ｔの下側から、該金庫天板１５Ｔの鉛直方向の中央部まで鉛直方向に沿う平面形状であり、受渡ガイドブラケット４８の左端から右端までに亘って形成されている。内側鉛直部５０は、それぞれガイド部６２Ｆの爪体６７Ｆ（後述する）の前面及びガイド部６２Ｂの爪体６７Ｂ（後述する）の後面と隣接して対向する内側鉛直面５０ＳＦ及び５０ＳＢが形成されている。以下では内側鉛直面５０ＳＦ及び５０ＳＢをまとめて内側鉛直面５０Ｓとも呼ぶ。
【００４１】
ガイド部６２Ｆの爪体６７Ｆの前面と、該爪体６７Ｆに隣接して対向する境界面である内側鉛直面５０ＳＦとの間には、金庫天板１５Ｔの外部と内部とを連通する内側隙間５６Ｆが形成されている。ガイド部６２Ｂの爪体６７Ｂの後面と、該爪体６７Ｂに隣接して対向する境界面である内側鉛直面５０ＳＢとの間には、内側隙間５６Ｆと同様の内側隙間５６Ｂが形成されている。以下では内側隙間５６Ｆ及び５６Ｂをまとめて内側隙間５６とも呼ぶ。換言すると、内側鉛直部５０Ｆと、該内側鉛直部５０Ｆに隣接して対向する境界面であるガイド部６２Ｆの爪体６７Ｆの前面との間には、内側隙間５６Ｆが形成されている。また内側鉛直部５０Ｂと、該内側鉛直部５０Ｂに隣接して対向する境界面であるガイド部６２Ｂの爪体６７Ｂの後面との間には、内側隙間５６Ｂが形成されている。
【００４２】
水平部５１は、内側鉛直部５０の上端部から前後方向の外側に向かって垂直に屈曲し金庫孔部端面１５Ｓの近傍まで水平方向に沿う平面形状であり、受渡ガイドブラケット４８の左端から右端までに亘って形成されている。
【００４３】
外側鉛直部５２は、水平部５１の前後方向の外側端部から上側に向かって垂直に屈曲し金庫天板１５Ｔの上面近傍まで鉛直方向に沿う平面形状であり、受渡ガイドブラケット４８の左端から右端までに亘って形成されている。外側鉛直部５２は、それぞれ金庫孔部端面１５ＳＦ及び１５ＳＢと隣接して対向する外側鉛直面５２ＳＦ及び５２ＳＢが形成されている。以下では外側鉛直面５２ＳＦ及び５２ＳＢをまとめて外側鉛直面５２Ｓとも呼ぶ。
【００４４】
外側鉛直面５２ＳＦと、該外側鉛直面５２ＳＦに隣接して対向する境界面である金庫孔部端面１５ＳＦとの間には、金庫天板１５Ｔの外部と内部とを連通する外側隙間５８Ｆが形成されている。外側鉛直面５２ＳＢと、該外側鉛直面５２ＳＢに隣接して対向する境界面である金庫孔部端面１５ＳＢとの間には、外側隙間５８Ｆと同様の外側隙間５８Ｂが形成されている。以下では外側隙間５８Ｆ及び５８Ｂをまとめて外側隙間５８とも呼ぶ。換言すると、金庫孔部端面１５Ｓと、該金庫孔部端面１５Ｓに隣接して対向する境界面である外側鉛直面５２Ｓとの間には、外側隙間５８が形成されている。
【００４５】
因みに外側鉛直部５２の上端部における左右に沿う方向の一部からは、上側に向かって鉛直方向に延びる平面形状のガイドリミッタ部（図示せず）が形成されている。このガイドリミッタ部は、回動した受渡ガイド４６に当接することにより、該受渡ガイド４６が回動する際のリミッタとして機能する。
【００４６】
［１−５．受渡ガイドの構成］
受渡ガイド４６は、樹脂成形により形成され、受渡ガイドブラケット４８のブラケット孔部４８Ｈ内における中央に配され、左右の両端部において、回動軸６０を介して受渡ガイドブラケット４８に取り付けられており、受渡ガイドブラケット４８に対し回動軸６０を中心として回動可能に構成されている。ガイド部６２Ｆは、左右方向に長い直方体状でなる本体部６４Ｆを中心に構成されている。以下ではガイド部６２Ｆ及び６２Ｂをまとめてガイド部６２とも呼ぶ。
【００４７】
本体部６４Ｆの下端には、爪群６６Ｆが形成されている。この爪群６６Ｆは、下端部が全体として櫛歯状に形成されており、左右方向に沿って複数の爪体６７Ｆが離散的に配置されている。各爪体６７Ｆは、概ね小さな直方体状に形成されており、それぞれの後面及び下面の位置を互いに揃えている。左右方向に隣接する爪体６７Ｆ同士の間には、隙間６８Ｆが形成されている。各爪体６７Ｆの左右方向に関する位置及び長さは、収納庫固定ガイド４３における各爪体と相補的に定められている。すなわち、ガイド部６２Ｆの爪群６６Ｆにおける各爪体６７Ｆの左右方向に関する位置及び長さは、収納庫固定ガイド４３における各爪体の隙間とそれぞれ対応している。
【００４８】
またガイド部６２Ｆにおける本体部６４Ｆの上端には、爪群７０Ｆが形成されている。この爪群７０Ｆは、上端部が全体として櫛歯状に形成されており、各爪体６７Ｆとそれぞれ左右方向が同じ位置において複数の爪体７１Ｆが設けられている。各爪体７１Ｆは、概ね小さな直方体状に形成されており、それぞれの後面及び上面の位置を互いに揃えている。左右方向に隣接する爪体７１Ｆ同士の間には、隙間７２Ｆが形成されている。各爪体７１Ｆの左右方向に関する位置及び長さは、振分搬送部固定ガイド４２における各爪体と相補的に定められている。すなわち、ガイド部６２Ｆの爪群７０Ｆにおける各爪体７１Ｆの左右方向に関する位置及び長さは、振分搬送部固定ガイド４２における各爪体の隙間とそれぞれ対応している。
【００４９】
ガイド部６２Ｂは、ガイド部６２Ｆとほぼ前後対称に構成されており、本体部６４Ｂの下端に爪群６６Ｂが形成されている。この爪群６６Ｂには、ガイド部６２Ｆと同様、左右方向に関し、収納庫固定ガイド４３における各爪体と相補的な位置及び長さとなるように、複数の爪体６７Ｂが左右方向に沿って隙間６８Ｂを空けて離散的に配置されている。またガイド部６２Ｂは、本体部６４Ｂの上端に爪群７０Ｂが形成されている。この爪群７０Ｂには、ガイド部６２Ｆと同様、左右方向に関し、振分搬送部固定ガイド４２における各爪体と相補的な位置及び長さとなるように、複数の爪体７１Ｂが左右方向に沿って隙間７２Ｂを空けて離散的に配置されている。以下では本体部６４Ｆ及び６４Ｂをまとめて本体部６４とも呼び、爪群６６Ｆ及び６６Ｂをまとめて爪群６６とも呼び、爪体６７Ｆ及び６７Ｂをまとめて爪体６７とも呼び、隙間６８Ｆ及び６８Ｂをまとめて隙間６８とも呼び、爪群７０Ｆ及び７０Ｂをまとめて爪群７０とも呼び、爪体７１Ｆ及び７１Ｂをまとめて爪体７１とも呼び、隙間７２Ｆ及び７２Ｂをまとめて隙間７２とも呼ぶ。
【００５０】
このようにガイド部６２は、上側に向けられた爪群７０が櫛歯状に形成され、金庫天板１５Ｔの上側に突出することにより、振分搬送部固定ガイド４２と噛み合っている。またガイド部６２は、下側に向けられた爪群７０が櫛歯状に形成され、金庫天板１５Ｔの下側（すなわち金庫筐体１５内）に突出することにより、それぞれ収納庫固定ガイド４３と噛み合っている。
【００５１】
受渡搬送部３４は、ガイド部６２Ｆにおける後側の面である前側ガイド面と、ガイド部６２Ｂにおいて前側ガイド面と平行に対向する後側ガイド面との間に、受渡搬送路３４Ａを形成している。この受渡搬送路３４Ａは、紙幣の紙面を前後方向に向け、上下方向に沿って搬送する搬送路となっている。これによりガイド部６２Ｆは紙幣の前面側をガイドし、ガイド部６２Ｂは紙幣の後面側をガイドしている。
【００５２】
［１−６．受渡ガイド爪部の構成］
ガイド部６２Ｆの爪群７０Ｆにおける複数の爪体７１Ｆのうちの一部の爪体７１Ｆの上端部近傍からは、該爪体７１Ｆと同じ左右幅で該爪体７１Ｆと一体に成形された概ね小さな直方体状である受渡ガイド爪部７４Ｆが、受渡搬送路３４Ａから離隔する方向である前方に向かって突設している。この受渡ガイド爪部７４Ｆは、図４（Ｃ）に示すように受渡ガイドブラケット４８の外側鉛直部５２Ｆの近傍まで、ガイド部６２Ｆに隣接して対向する内側鉛直面５０ＳＦを越えて延設され、該受渡ガイドブラケット４８の前側板部４８Ｆの上側に覆いかぶさることにより、金庫天板１５Ｔの外部と内側隙間５６Ｆとの間に位置し、該金庫天板１５Ｔの上方から内側隙間５６Ｆへの紙幣の侵入経路を塞いでいる。以下では、複数の受渡ガイド爪部７４Ｆが左右方向に併設されることにより、受渡ガイドブラケット４８の外側鉛直部５２Ｆに隣接して対向し該複数の受渡ガイド爪部７４Ｆの前端に亘って仮想的に形成された面を、受渡ガイド爪部先端面７４ＡＦ（図４（Ａ））とも呼ぶ。
【００５３】
ガイド部６２Ｂの爪群７０Ｂにおける複数の爪体７１Ｂのうちの一部の爪体７１Ｂの上端部近傍からは、該爪体７１Ｂと同じ左右幅で該爪体７１Ｂと一体に成形された概ね小さな直方体状である受渡ガイド爪部７４Ｂが、受渡搬送路３４Ａから離隔する方向である後方に向かって突設している。この受渡ガイド爪部７４Ｂは、図４（Ｃ）に示すように受渡ガイドブラケット４８の外側鉛直部５２Ｂの近傍まで、ガイド部６２Ｂに隣接して対向する内側鉛直面５０ＳＢを越えて延設され、該受渡ガイドブラケット４８の後側板部４８Ｂの上側に覆いかぶさることにより、金庫天板１５Ｔの外部と内側隙間５６Ｂとの間に位置し、該金庫天板１５Ｔの上方から内側隙間５６Ｂへの紙幣の侵入経路を塞いでいる。以下では、複数の受渡ガイド爪部７４Ｂが左右方向に併設されることにより、受渡ガイドブラケット４８の外側鉛直部５２Ｂに隣接して対向し該複数の受渡ガイド爪部７４Ｂの後端に亘って仮想的に形成された面を、受渡ガイド爪部先端面７４ＡＢ（図４（Ａ））とも呼ぶ。
【００５４】
以下では受渡ガイド爪部７４Ｆ及び７４Ｂをまとめて受渡ガイド爪部７４とも呼び、受渡ガイド爪部先端面７４ＡＦ及び７４ＡＢをまとめて受渡ガイド爪部先端面７４Ａとも呼ぶ。以下では受渡ガイド爪部７４Ｆ及び７４Ｂをまとめて受渡ガイド爪部７４とも呼び、受渡ガイド爪部先端面７４ＡＦ及び７４ＡＢをまとめて受渡ガイド爪部先端面７４Ａとも呼ぶ。隣り合う受渡ガイド爪部７４の間隔は、現金自動取引装置１において取り扱われる紙幣のうち、搬送方向である短辺方向の長さが最小である最小長さ紙幣における搬送方向長さよりも十分に短く設定されている。また隣り合う受渡ガイド爪部７４の間隔は、現金自動取引装置１において取り扱われる紙幣のうち、搬送方向と紙幣の紙面に直交する紙面直交方向とに直交する搬送幅方向である長辺方向の長さが最小である最小幅紙幣における搬送幅方向長さの１／２よりも十分に短く設定されている。
【００５５】
［１−７．受渡ガイドブラケット爪部の構成］
受渡ガイドブラケット４８の前側板部４８Ｆの外側鉛直部５２Ｆにおける、受渡ガイド４６の複数の爪体７１のうちの一部の爪体７１と左右方向の位置が一致する上端部からは、該爪体７１と同じ左右幅で該前側板部４８Ｆと一体に形成された板状である受渡ガイドブラケット爪部５３Ｆが、受渡搬送路３４Ａから離隔する方向である前方に向かって突設している。この受渡ガイドブラケット爪部５３Ｆは、図４（Ｃ）に示すように金庫天板１５Ｔの上面まで、外側鉛直部５２Ｆに隣接して対向する金庫孔部端面１５ＳＦを越えて延設され、該金庫天板１５Ｔの上側に覆いかぶさることにより、金庫天板１５Ｔの外部と外側隙間５８Ｆとの間に位置し、該金庫天板１５Ｔの上方から外側隙間５８Ｆへの紙幣の侵入経路を塞いでいる。以下では、複数の受渡ガイドブラケット爪部５３Ｆが左右方向に併設されることにより、該複数の受渡ガイドブラケット爪部５３Ｆの前端に亘って仮想的に形成された面を、受渡ガイドブラケット爪部先端面５３ＡＦ（図４（Ａ））とも呼ぶ。
【００５６】
受渡ガイドブラケット４８の後側板部４８Ｂの外側鉛直部５２Ｂにおける、受渡ガイド４６の複数の爪体７１のうちの一部の爪体７１と左右方向の位置が一致する上端部からは、該爪体７１と同じ左右幅で該後側板部４８Ｂと一体に形成された板状である受渡ガイドブラケット爪部５３Ｂが、受渡搬送路３４Ａから離隔する方向である後方に向かって突設している。この受渡ガイドブラケット爪部５３Ｂは、図４（Ｃ）に示すように金庫天板１５Ｔの上面まで、外側鉛直部５２Ｂに隣接して対向する金庫孔部端面１５ＳＢを越えて延設され、該金庫天板１５Ｔの上側に覆いかぶさることにより、金庫天板１５Ｔの外部と外側隙間５８Ｂとの間に位置し、該金庫天板１５Ｔの上方から外側隙間５８Ｂへの紙幣の侵入経路を塞いでいる。以下では、複数の受渡ガイドブラケット爪部５３Ｂが左右方向に併設されることにより、該複数の受渡ガイドブラケット爪部５３Ｂの後端に亘って仮想的に形成された面を、受渡ガイドブラケット爪部先端面５３ＡＢ（図４（Ａ））とも呼ぶ。
【００５７】
以下では受渡ガイドブラケット爪部先端面５３ＡＦ及び５３ＡＢをまとめて受渡ガイドブラケット爪部先端面５３Ａとも呼ぶ。隣り合う受渡ガイドブラケット爪部５３の間隔は、最小長さ紙幣の搬送方向長さよりも十分に短く、且つ最小幅紙幣の搬送幅方向長さの１／２よりも十分に短く設定されている。
【００５８】
［１−８．効果等］
以上の構成において受渡搬送部３４は、受渡ガイド４６の爪体７１から受渡ガイド爪部７４を受渡ガイド４６に隣接して対向する内側鉛直面５０Ｓを越えるまで受渡ガイドブラケット４８に向かって受渡搬送路３４Ａから離隔するよう突設し、受渡ガイド爪部先端面７４Ａが内側鉛直面５０Ｓよりも受渡搬送路３４Ａから離隔する側に位置するようにした。このため受渡搬送部３４は、受渡ガイド爪部７４により内側隙間５６の一部を埋め、金庫筐体１５の外部から該内側隙間５６への紙幣の侵入経路を塞ぐことができる。
【００５９】
また受渡搬送部３４は、受渡ガイドブラケット４８から受渡ガイドブラケット爪部５３を受渡ガイドブラケット４８に隣接して対向する金庫孔部端面１５Ｓを越えるまで金庫天板１５Ｔに向かって受渡搬送路３４Ａから離隔するよう突設し、受渡ガイドブラケット爪部先端面５３Ａが金庫孔部端面１５Ｓよりも受渡搬送路３４Ａから離隔する側に位置するようにした。このため受渡搬送部３４は、受渡ガイドブラケット爪部５３により外側隙間５８の一部を埋め、金庫筐体１５の外部から該外側隙間５８への紙幣の侵入経路を塞ぐことができる。
【００６０】
これにより受渡搬送部３４は、上部ユニット１３内において紙幣詰まりが発生し該上部ユニット１３が外部に引き出された際に、該上部ユニット１３から紙幣が内側隙間５６又は外側隙間５８を通過してしまうことを防止し、金庫筐体１５内部に紙幣が落下してしまうことを防止できる。
【００６１】
さらに受渡搬送部３４は、受渡ガイド爪部７４及び受渡ガイドブラケット爪部５３の搬送幅方向の位置を爪体７１と揃える、すなわち同じ位相に設けるようにした。このため受渡搬送部３４は、前後方向に沿って見た際に、受渡ガイド爪部７４及び受渡ガイドブラケット爪部５３を爪体７１と重なるように配置することにより、受渡ガイド爪部７４及び受渡ガイドブラケット爪部５３が形成されていない場合に対し外形が変化しないようにできる。このため受渡搬送部３４は、爪体７１と噛み合う振分搬送部２６の振分搬送部固定ガイド４２の構成を従来に対し変化させることなく、受渡ガイド４６と振分搬送部固定ガイド４２とを互いに物理的に干渉しない状態を保ちつつ、上部ユニット１３を装置筐体２に対しスライドさせることができる。
【００６２】
さらに受渡搬送部３４は、受渡ガイド爪部７４の間隔と、受渡ガイドブラケット爪部５３の間隔とを、最小長さ紙幣の搬送方向長さよりも十分に短く、最小幅紙幣の搬送幅方向長さの１／２よりも狭くするようにした。このため受渡搬送部３４は、長辺方向の長さが１／２となるように折れ上部ユニット１３において紙幣詰まりの原因となった２つ折れ紙幣が、上部ユニット１３から落下したとしても、該２つ折れ紙幣が内側隙間５６又は外側隙間５８を通過してしまうことを防止できる。
【００６３】
さらに受渡搬送部３４は、受渡ガイドブラケット４８から受渡ガイドブラケット爪部５３を金庫天板１５Ｔの上面を覆うように突設させるようにしたため、例えば金庫天板１５Ｔにおいて受渡ガイドブラケット爪部５３と隣接して対向する箇所を刻設し該受渡ガイドブラケット爪部５３が金庫天板１５Ｔと噛み合うようにする場合と比べて、金庫孔部１５ＴＡを単純な角孔のままとすることができる。これにより受渡搬送部３４は、金庫筐体１５の板厚が厚いために複雑な孔部の形状に形成することが困難な金庫孔部１５ＴＡを、従来の単純な角孔のままとし、従来に対し追加で複雑な加工を要しないようにできる。
【００６４】
このように受渡搬送部３４は、受渡ガイド爪部７４及び受渡ガイドブラケット爪部５３を搬送幅方向に沿って離散的に設けることにより、上部ユニット１３等から落下した紙幣が内側隙間５６又は外側隙間５８を介し金庫筐体１５内部に落下してしまうことを防止できる。
【００６５】
以上の構成によれば現金自動取引装置１は、ユーザとの間で媒体としての紙幣の受け渡しを行う紙幣入出金部５と、紙幣を搬送する第１搬送部としての振分搬送部２６を有する上部ユニット１３と、紙幣を搬送する第２搬送部としての収納庫搬送部２０Ａを有し筐体としての金庫筐体１５内に配置される収納庫装填ケース１６と、金庫筐体１５に形成された開口部としての金庫孔部１５ＴＡを介して振分搬送部２６と収納庫搬送部２０Ａとを接続する受渡搬送部３４とを設け、受渡搬送部３４は、振分搬送部２６と収納庫搬送部２０Ａとの間で紙幣を案内する搬送路としての受渡搬送路３４Ａを形成する受渡ガイド４６と、金庫孔部１５ＴＡ内に配置され、金庫筐体１５に受渡ガイド４６を保持する受渡ガイドブラケット４８と、受渡ガイド４６に設けられ、内側隙間５６を介して隣接して対向する受渡ガイドブラケット４８の対向面である内側鉛直面５０Ｓを受渡ガイド爪部先端面７４Ａが越える受渡ガイド爪部７４と、受渡ガイドブラケット４８に設けられ、外側隙間５８を介して隣接して対向する金庫筐体１５の対向面である金庫孔部端面１５Ｓを受渡ガイドブラケット爪部先端面５３Ａが越える長さで形成された受渡ガイドブラケット爪部５３とを有するようにした。
【００６６】
これにより現金自動取引装置１は、それぞれ受渡ガイド爪部７４により内側隙間５６の一部を、受渡ガイドブラケット爪部５３により外側隙間５８の一部を埋め、内側隙間５６及び外側隙間５８への紙幣の経路を塞ぐことができる。
【００６７】
［２．第２の実施の形態］
［２−１．現金自動取引装置の構成］
図１及び図２に示すように、第２の実施の形態による現金自動取引装置１０１は、第１の実施の形態による現金自動取引装置１と比較して、受渡搬送部１３３乃至１３８が受渡搬送部３３乃至３８と相違するものの、それ以外は同様に構成されている。
【００６８】
［２−２．受渡搬送部の構成］
受渡搬送部１３３乃至１３８は基本的には同様に構成されているため、以下では受渡搬送部１３４の構成について説明する。図４と対応する部材に同一符号を付した図５に示すように、受渡搬送部１３４は受渡搬送部３４と比較して、受渡ガイド１４６が受渡ガイド４６と、受渡ガイドブラケット１４８が受渡ガイドブラケット４８と、金庫天板１１５Ｔが金庫天板１５Ｔと異なっている。受渡ガイド１４６は受渡ガイド４６と比較して、ガイド部１６２（１６２Ｆ及び１６２Ｂ）がガイド部６２（６２Ｆ及び６２Ｂ）と、受渡ガイド爪部１７４（１７４Ｆ及び１７４Ｂ）が受渡ガイド爪部７４（７４Ｆ及び７４Ｂ）と異なっている。受渡ガイドブラケット１４８は受渡ガイドブラケット４８と比較して、受渡ガイドブラケット爪部１５３（１５３Ｆ及び１５３Ｂ）が受渡ガイドブラケット爪部５３（５３Ｆ及び５３Ｂ）と異なっている。
【００６９】
［２−３．金庫筐体の構成］
金庫天板１１５Ｔにおける、受渡ガイドブラケット１４８の受渡ガイドブラケット爪部１５３Ｆと対向する位置には、該受渡ガイドブラケット爪部１５３Ｆが入り込む金庫天板溝部８０Ｆが刻設されている。金庫天板１１５Ｔにおける、受渡ガイドブラケット１４８の受渡ガイドブラケット爪部１５３Ｂと対向する位置には、該受渡ガイドブラケット爪部１５３Ｂが入り込む金庫天板溝部８０Ｂが刻設されている。以下では金庫天板溝部８０Ｆ及び８０Ｂをまとめて金庫天板溝部８０とも呼ぶ。
【００７０】
［２−４．受渡ガイドブラケットの構成］
受渡ガイドブラケット１４８の前側板部１４８Ｆにおける、受渡ガイド１４６の受渡ガイド爪部１７４Ｆと対向する位置には、該受渡ガイド爪部１７４Ｆが入り込む受渡ガイドブラケット溝部８２Ｆが刻設されている。受渡ガイドブラケット１４８の後側板部１４８Ｂにおける、受渡ガイド１４６の受渡ガイド爪部１７４Ｂと対向する位置には、該受渡ガイド爪部１７４Ｂが入り込む受渡ガイドブラケット溝部８２Ｂが刻設されている。以下では受渡ガイドブラケット溝部８２Ｆ及び８２Ｂをまとめて受渡ガイドブラケット溝部８２とも呼ぶ。
【００７１】
［２−５．受渡ガイドブラケット爪部の構成］
受渡ガイドブラケット爪部１５３Ｆは、受渡ガイドブラケット爪部５３Ｆと同様の左右方向の位置において、水平部５１Ｆの前端部から前方に向かって突設している。この受渡ガイドブラケット爪部１５３Ｆは、外側鉛直部５２Ｆに隣接して対向する金庫孔部端面１５ＳＦを越えて延設され、金庫天板溝部８０Ｆに入り込むことにより、金庫天板１１５Ｔの外部と外側隙間５８Ｆとの間に位置し、該金庫天板１１５Ｔの上方から外側隙間５８Ｆへの紙幣の侵入経路を塞いでいる。以下では、複数の受渡ガイドブラケット爪部１５３Ｆが左右方向に併設されることにより、該複数の受渡ガイドブラケット爪部１５３Ｆの前端に亘って仮想的に形成された面を、受渡ガイドブラケット爪部先端面１５３ＡＦとも呼ぶ。
【００７２】
受渡ガイドブラケット爪部１５３Ｂは、受渡ガイドブラケット爪部５３Ｂと同様の左右方向の位置において、水平部５１Ｂの後端部から後方に向かって突設している。この受渡ガイドブラケット爪部１５３Ｂは、外側鉛直部５２Ｂに隣接して対向する金庫孔部端面１５ＳＢを越えて延設され、金庫天板溝部８０Ｂに入り込むことにより、金庫天板１１５Ｔの外部と外側隙間５８Ｂとの間に位置し、該金庫天板１１５Ｔの上方から外側隙間５８Ｂへの紙幣の侵入経路を塞いでいる。以下では、複数の受渡ガイドブラケット爪部１５３Ｂが左右方向に併設されることにより、該複数の受渡ガイドブラケット爪部１５３Ｂの後端に亘って仮想的に形成された面を、受渡ガイドブラケット爪部先端面１５３ＡＢとも呼ぶ。
【００７３】
以下では受渡ガイドブラケット爪部１５３Ｆ及び１５３Ｂをまとめて受渡ガイドブラケット爪部１５３とも呼び、受渡ガイドブラケット爪部先端面１５３ＡＦ及び１５３ＡＢをまとめて受渡ガイドブラケット爪部先端面１５３Ａとも呼ぶ。
【００７４】
［２−６．受渡ガイド及び受渡ガイド爪部の構成］
受渡ガイド１４６のガイド部１６２Ｆの本体部６４Ｆにおける複数の爪体７１Ｆと爪体６７Ｆとの間のうちの一部の爪体７１Ｆと爪体６７Ｆとの間からは、該爪体７１Ｆと同じ左右幅で該爪体７１Ｆと一体に成形された概ね小さな直方体状である受渡ガイド爪部１７４Ｆが前方に向かって突設している。この受渡ガイド爪部１７４Ｆは、上下方向の高さが金庫天板１１５Ｔの厚さより低く形成されている。またこの受渡ガイド爪部１７４Ｆは、受渡ガイドブラケット１４８の外側鉛直部５２Ｆの近傍まで、ガイド部１６２Ｆに隣接して対向する内側鉛直面５０ＳＦを越えて延設され、該受渡ガイドブラケット１４８の受渡ガイドブラケット溝部８２Ｆに入り込むことにより、金庫天板１１５Ｔの外部と内側隙間５６Ｆとの間に位置し、該金庫天板１１５Ｔの上方から内側隙間５６Ｆへの紙幣の侵入経路を塞いでいる。以下では、複数の受渡ガイド爪部１７４Ｆが左右方向に併設されることにより、受渡ガイドブラケット１４８の外側鉛直部５２Ｆに隣接して対向し該複数の受渡ガイド爪部１７４Ｆの前端に亘って仮想的に形成された面を、受渡ガイド爪部先端面１７４ＡＦとも呼ぶ。
【００７５】
受渡ガイド１４６のガイド部１６２Ｂの本体部６４Ｂにおける複数の爪体７１Ｂと爪体６７Ｂとの間のうちの一部の爪体７１Ｂと爪体６７Ｂとの間からは、該爪体７１Ｂと同じ左右幅で該爪体７１Ｂと一体に成形された概ね小さな直方体状である受渡ガイド爪部１７４Ｂが後方に向かって突設している。この受渡ガイド爪部１７４Ｂは、上下方向の高さが金庫天板１１５Ｔの厚さより低く形成されている。またこの受渡ガイド爪部１７４Ｂは、受渡ガイドブラケット１４８の外側鉛直部５２Ｂの近傍まで、ガイド部１６２Ｂに隣接して対向する内側鉛直面５０ＳＢを越えて延設され、該受渡ガイドブラケット１４８の受渡ガイドブラケット溝部８２Ｂに入り込むことにより、金庫天板１１５Ｔの外部と内側隙間５６Ｂとの間に位置し、該金庫天板１１５Ｔの上方から内側隙間５６Ｂへの紙幣の侵入経路を塞いでいる。以下では、複数の受渡ガイド爪部１７４Ｂが左右方向に併設されることにより、受渡ガイドブラケット１４８の外側鉛直部５２Ｂに隣接して対向し該複数の受渡ガイド爪部１７４Ｂの後端に亘って仮想的に形成された面を、受渡ガイド爪部先端面１７４ＡＢとも呼ぶ。
【００７６】
以下では受渡ガイド爪部１７４Ｆ及び１７４Ｂをまとめて受渡ガイド爪部１７４とも呼び、受渡ガイド爪部先端面１７４ＡＦ及び１７４ＡＢをまとめて受渡ガイド爪部先端面１７４Ａとも呼ぶ。
【００７７】
［２−７．効果等］
このように受渡搬送部１３４は、受渡ガイド１４６の本体部６４から受渡ガイド爪部１７４を受渡ガイドブラケット１４８に向かって受渡ガイドブラケット溝部８２と噛み合うよう突設し、受渡ガイド爪部先端面１７４Ａが内側鉛直面５０Ｓよりも受渡搬送路３４Ａから離隔する側に位置するようにした。このため受渡搬送部１３４は、受渡ガイド爪部１７４により内側隙間５６の一部を埋め、金庫筐体１５の外部から該内側隙間５６への紙幣の侵入経路を塞ぐことができる。
【００７８】
また受渡搬送部１３４は、受渡ガイドブラケット１４８から受渡ガイドブラケット爪部１５３を金庫天板１１５Ｔに向かって金庫天板溝部８０と噛み合うよう突設し、受渡ガイドブラケット爪部先端面１５３Ａが金庫孔部端面１５Ｓよりも受渡搬送路３４Ａから離隔する側に位置するようにした。このため受渡搬送部１３４は、受渡ガイドブラケット爪部１５３により外側隙間５８の一部を埋め、金庫筐体１５の外部から該外側隙間５８への紙幣の侵入経路を塞ぐことができる。
【００７９】
さらに受渡搬送部１３４は、受渡ガイド爪部１７４を金庫天板１１５Ｔの厚さより低く形成し該金庫天板１１５Ｔの上面と下面との間に収めるように配置すると共に、受渡ガイドブラケット爪部１５３を金庫天板１１５Ｔの厚さより薄く形成し該金庫天板１１５Ｔの上面と下面との間に収めるように配置するようにした。これにより受渡搬送部１３４は、受渡ガイド爪部１７４及び受渡ガイドブラケット爪部１５３を金庫天板１１５Ｔの金庫孔部１５ＴＡから上下方向に突出しないようにし、高さを抑えることができる。その他受渡搬送部１３４は、受渡搬送部３４とほぼ同様の作用効果を奏する。
【００８０】
［３．他の実施の形態］
なお上述した第１の実施の形態においては、受渡ガイド爪部７４を受渡ガイドブラケット４８の外側鉛直部５２の近傍まで延設する場合について述べた。本発明はこれに限らず、受渡ガイド爪部７４を金庫天板１５Ｔの上面まで延設しても良い。この場合、外側隙間５８への紙幣の落下を受渡ガイド爪部７４により防止できる。その場合、受渡ガイドブラケット爪部５３を設けず省略しても良い。第２の実施の形態においても同様である。
【００８１】
また上述した第１の実施の形態においては、受渡ガイド４６から受渡ガイド爪部７４を受渡ガイドブラケット４８へ向かって突設させることにより内側隙間５６を覆う場合について述べた。本発明はこれに限らず、受渡ガイドブラケット４８から爪部を受渡ガイド４６へ向かって突設させることにより内側隙間５６を覆っても良い。要は、受渡ガイド又は受渡ガイドブラケットから、隣接して対向する境界面（対向面）を先端が越える爪部を延設すれば良い。第２の実施の形態においても同様である。
【００８２】
さらに上述した第１の実施の形態においては、受渡ガイドブラケット４８から受渡ガイドブラケット爪部５３を金庫天板１５Ｔへ向かって突設させることにより外側隙間５８を覆う場合について述べた。本発明はこれに限らず、金庫天板１５Ｔから爪部を受渡ガイドブラケット４８へ向かって突設させることにより外側隙間５８を覆っても良い。その場合、金庫天板１５Ｔから爪部を受渡ガイド４６まで延設しても良い。この場合、内側隙間５６への紙幣の落下を金庫天板１５Ｔの爪部により防止できる。その場合、受渡ガイド爪部７４を設けず省略しても良い。要は、受渡ガイドブラケット４８又は金庫天板１５Ｔから、隣接して対向する境界面を先端が越える爪部を延設すれば良い。第２の実施の形態においても同様である。
【００８３】
さらに上述した第１の実施の形態においては、受渡ガイド爪部７４及び受渡ガイドブラケット爪部５３の両方を形成する場合について述べた。本発明はこれに限らず、受渡ガイド爪部７４又は受渡ガイドブラケット爪部５３の何れか一方は省略しても良い。第２の実施の形態においても同様である。
【００８４】
さらに上述した第１の実施の形態においては、受渡ガイド爪部７４Ｆ及び７４Ｂの両方を形成する場合について述べた。本発明はこれに限らず、受渡ガイド爪部７４Ｆ又は７４Ｂの何れか一方は省略しても良い。第２の実施の形態においても同様である。
【００８５】
さらに上述した第１の実施の形態においては、受渡ガイドブラケット爪部５３Ｆ及び５３Ｂの両方を形成する場合について述べた。本発明はこれに限らず、受渡ガイドブラケット爪部５３Ｆ又は５３Ｂの何れか一方は省略しても良い。第２の実施の形態においても同様である。
【００８６】
さらに上述した第１の実施の形態においては、受渡ガイド爪部７４及び受渡ガイドブラケット爪部５３の搬送幅方向の位置を爪体７１と揃える場合について述べた。本発明はこれに限らず、受渡ガイド爪部７４及び受渡ガイドブラケット爪部５３の周囲のスペースに余裕がある場合、受渡ガイド爪部７４又は受渡ガイドブラケット爪部５３の搬送幅方向の位置を爪体７１と揃えなくても良い。その場合、例えば受渡ガイド爪部７４又は受渡ガイドブラケット爪部５３を受渡ガイド４６の右端から左端まで搬送幅方向に亘って板状に形成し、内側隙間５６又は外側隙間５８を右端から左端までに亘って覆っても良い。第２の実施の形態においても同様である。
【００８７】
さらに上述した第１の実施の形態においては、受渡ガイド４６と受渡ガイドブラケット４８とが別部品であり、該受渡ガイド４６と該受渡ガイドブラケット４８との間に内側隙間５６が存在する受渡搬送部３４に本発明を適用する場合について述べた。本発明はこれに限らず、受渡ガイド４６と受渡ガイドブラケット４８とが一体化しており両者の間に隙間が存在しない受渡搬送部においても本発明を適用しても良い。その場合であっても、外側隙間５８への紙幣の落下を受渡ガイドブラケット爪部５３により防止できる。第２の実施の形態においても同様である。
【００８８】
さらに上述した第１の実施の形態においては、受渡ガイド爪部７４の間隔と、受渡ガイドブラケット爪部５３の間隔とを、最小長さ紙幣の搬送方向長さよりも十分に短く、且つ最小幅紙幣の搬送幅方向長さの１／２よりも狭くする場合について述べた。本発明はこれに限らず、少なくとも最小紙幣幅よりも狭ければ良い。第２の実施の形態においても同様である。
【００８９】
さらに上述した第１の実施の形態においては、ガイド部６２の爪体７１から受渡ガイド爪部７４を突設する場合について述べた。本発明はこれに限らず、爪体７１及び爪体６７の両方から受渡ガイド爪部を突設しても良く、爪体６７のみから受渡ガイド爪部を突設しても良い。
【００９０】
さらに上述した第１の実施の形態においては、受渡ガイドブラケット４８の外側鉛直部５２から金庫天板１５Ｔの上面を覆うよう受渡ガイドブラケット爪部５３を突設する場合について述べた。本発明はこれに限らず、受渡ガイドブラケット４８の外側鉛直部５２から金庫天板１５Ｔの下面を覆うよう受渡ガイドブラケット爪部５３を突設しても良い。
【００９１】
さらに上述した第１の実施の形態においては、ガイド部６２Ｆとガイド部６２Ｂとを互いにほぼ前後対称に形成する場合について述べた。本発明はこれに限らず、ガイド部６２Ｆとガイド部６２Ｂとは互いに前後対称でなくても良い。第２の実施の形態においても同様である。
【００９２】
さらに上述した第１の実施の形態においては、前側板部４８Ｆと後側板部４８Ｂとを互いにほぼ前後対称に形成する場合について述べた。本発明はこれに限らず、前側板部４８Ｆと後側板部４８Ｂとは互いに前後対称でなくても良い。第２の実施の形態においても同様である。
【００９３】
さらに上述した実施の形態においては、受渡搬送路３４Ａにおいて紙幣の紙面を前後方向に向け上下方向に沿って搬送する受渡搬送部３４及び１３４に本発明を適用する場合について述べた。本発明はこれに限らず、紙幣の紙面を種々の方向に向け種々の方向に沿って搬送する受渡搬送部に本発明を適用しても良い。
【００９４】
さらに上述した実施の形態においては、それぞれ引出方向及び収納方向が前方向及び後方向であり、スライド方向が前後方向である現金自動取引装置１及び１０１に本発明を適用する場合について述べた。発明はこれに限らず、スライド方向が左右方向等、種々の方向の現金自動取引装置に本発明を適用しても良い。
【００９５】
さらに上述した実施の形態においては、顧客との間で現金に関する取引を行う現金自動取引装置１及び１０１の紙幣処理機１１に本発明を適用する場合について述べた。本発明はこれに限らず、例えば金融機関の窓口に設置され該金融機関の職員が主に使用する紙幣処理装置（いわゆるテラーマシン）等、装置本体からスライドレールにより装填部を引き出した状態で収納庫を装填し又は取り外すような、種々の装置に適用しても良い。
【００９６】
さらに上述した実施の形態においては、リジェクト庫１９及び紙幣収納庫２０乃至２４に紙幣を収納する場合について述べた。本発明はこれに限らず、例えば金券や証券、或いは入場券等の種々の媒体を収納する収納庫が格納される金庫筐体に取り付けられる種々の受渡搬送部に適用しても良い。媒体の形状としては、紙幣のような紙葉状に限らず、直方体状等の種々の形状であっても良い。
【００９７】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００９８】
さらに上述した第１の実施の形態においては、受渡ガイドとしての受渡ガイド４６と、受渡ガイドブラケットとしての受渡ガイドブラケット４８と、爪部としての受渡ガイドブラケット爪部５３及び受渡ガイド爪部７４とを有する受渡搬送部としての受渡搬送部３３乃至３８と、接客部としての紙幣入出金部５と、第１ユニットとしての上部ユニット１３と、第２ユニットとしての収納庫装填ケース１６とによって、媒体処理装置としての現金自動取引装置１を構成する場合について述べた。本発明はこれに限らず、その他種々の構成でなる受渡ガイドと、受渡ガイドブラケットと、爪部とを有する受渡搬送部と、接客部と、第１ユニットと、第２ユニットとによって、媒体処理装置を構成しても良い。
【産業上の利用可能性】
【００９９】
本発明は、例えば現金自動取引装置のように、紙幣等の媒体を収納する収納庫が格納された筐体の内部と外部とで媒体を受け渡すような種々の装置でも利用できる。
【符号の説明】
【０１００】
１、１０１……現金自動取引装置、２……装置筐体、２Ａ……装置筐体前扉、３……顧客応対部、４……カード入出口、５……紙幣入出金部、６……操作表示部、７……通帳挿入排出口、１０……制御部、１１……紙幣処理機、１３……上部ユニット、１５……金庫筐体、１５Ｔ、１１５Ｔ……金庫天板、１５ＴＡ……金庫孔部、１５Ｂ……金庫筐体前扉、１５Ｓ……金庫孔部端面、１６……収納庫装填ケース、１９……リジェクト庫、２０〜２４……紙幣収納庫、１９Ａ〜２４Ａ……収納庫搬送部、１９ＡＸ〜２４ＡＸ……収納庫搬送路、２５……上部筐体、２５Ａ……上部筐体搬送路、２６……振分搬送部、２６Ａ……振分搬送路、２７……振分搬送部筐体、２８……鑑別部、２９……一時保留部、３３〜３８、１３３〜１３８……受渡搬送部、３３Ａ〜３８Ａ……受渡搬送路、４０……上側スライドレール、４１……下側スライドレール、４２……振分搬送部固定ガイド、４３……収納庫固定ガイド、４４……金庫側ブラケット、４６……受渡ガイド、４８……受渡ガイドブラケット、４８Ｈ……ブラケット孔部、４８Ｆ……前側板部、４８Ｂ……後側板部、４８Ｌ……左側板部、４８Ｒ……右側板部、５０……内側鉛直部、５０Ｓ……内側鉛直面、５１……水平部、５２……外側鉛直部、５２Ｓ……外側鉛直面、５３……受渡ガイドブラケット爪部、５３Ａ……受渡ガイドブラケット爪部先端面、５６……内側隙間、５８……外側隙間、６０……回動軸、６２、１６２……ガイド部、６４……本体部、６６……爪群、６７……爪体、６８……隙間、７０……爪群、７１……爪体、７２……隙間、７４……受渡ガイド爪部、７４Ａ、１７４Ａ……受渡ガイド爪部先端面、８０……金庫天板溝部、８２……受渡ガイドブラケット溝部。
【図１】
2018005684.tif 000003
【図２】
2018005684.tif 000004
【図３】
2018005684.tif 000005
【図４】
2018005684.tif 000006
【図５】
2018005684.tif 000007